(57)【特許請求の範囲】
【請求項１】
胴差が上下のフランジとこれらフランジをつなぐウェブを有する鉄骨材からなり、
胴差を挟む上下両側に階上、階下の外壁パネルが備えられると共に、階上、階下の外壁パネルの背面側に気密シートが備えられ、階上の外壁パネルの下フレームが胴差の上フランジの上面に配置されると共に、階下の外壁パネルの上フレームが胴差の下フランジの下面に配置され、胴差は前記階上、階下の気密シートより室内側に突出しており、
階上の外壁パネルの背面側の気密シートと胴差の上フランジとの間、及び、階下の外壁パネルの背面側の気密シートと胴差の下フランジの下面との間が、それぞれ個別に気密材でシールされ、
各気密材は、Ｌ字状に成形されたシート材からなり、上フランジ側のＬ字状気密材は、その一方の面部が階上の外壁パネルの背面側の気密シートに重ねられて気密状態に接着されると共に、もう一方の面部が上フランジの上面部に沿わされて気密状態に接着され、下フランジ側のＬ字状気密材は、一方の面部が階下の外壁パネルの背面側の気密シートに重ねられて気密状態に接着されると共に、もう一方の面部が下フランジの下面部に沿わされて気密状態に接着されることによって前記シール状態が形成されており、
前記胴差のウェブに設けられている孔は、蓋又は栓で閉じられることで、前記Ｌ字状気密材間は、胴差が建物内外を気密にシールしており、
該Ｌ字状気密材間において、前記胴差に、室内側に延びる梁の一端が連結されていることを特徴とする建物の階間胴差部における気密構造。
【発明の詳細な説明】
【０００１】
【発明の属する技術分野】
本発明は、建物の階間胴差部における気密構造に関する。
【０００２】
【従来の技術】
建物の階間の胴差部を気密化する工法として、例えば在来木造住宅では、木製胴差の室内側の面に階間部気密シートを上下に突出するように先張りでタッカー止めし、この階間部気密シートに階上、階下の気密シートを気密に接合して、階上の気密シートと階下の気密シートとを連続させるようにするものがある。
【０００３】
【発明が解決しようとする課題】
しかしながら、この工法では、階上の気密シートと階下の気密シートとを階間部用の気密シートで連続させて階間部を気密化するものであるため、気密シートの使用量が全体としていささか多くなってしまうという問題があった。
【０００４】
また、他の構造材との取り合い関係によって、胴差が、階上、階下の気密シートの位置より室内側に突出するような場合に、階間部気密シートは、胴差の室内側の面からこの胴差を挟む上下両方向に突出させて用いられるため、階間部気密シートの高さ方向中間部を、胴差部分において、胴差の突出を許容するような形状に成形しなければならず、あるいは、施工において胴差部気密シートを変形させなければならないなど、胴差部気密シートのコストが高くついたり、施工が厄介であるという問題があった。
【０００５】
本発明は、上記のような問題点に鑑み、階間胴差部をコスト的に有利にしかも施工容易に気密化することができる建物階間胴差部の気密構造を提供することを課題とする。
【０００６】
【課題を解決するための手段】
上記の課題は、胴差を挟む上下両側にそれぞれ外壁パネルが備えられ、
階上の外壁パネルと胴差との間、及び、階下の外壁パネルと胴差との間がそれぞれ個別に気密材でシールされ、
胴差を挟む上下の外壁パネル間は、胴差が建物内外を気密にシールしていることを特徴とする建物の階間胴差部における気密構造によって解決される。
【０００７】
この構造では、胴差そのものを階間部の気密に使用するものであり、従来のような階間部気密シートは不要であり、階上の外壁パネルと胴差との間、及び、階下の外壁パネルと胴差との間を気密材でシールするだけでよく、従って、階間胴差部をコスト的に有利にしかも施工容易に気密化することができる。
【０００８】
特に、胴差が、上下の外壁パネルより室内側に突出している場合は、従来なら、階間部気密シートを胴差の突出を許容する複雑な形状に成形したり、変形させたりしなければならないところ、その必要はなく、単に、階上の外壁パネルと胴差との間、及び、階下の外壁パネルと胴差との間を気密材でシールするだけでよく、胴差が上下の外壁パネルより室内側に突出している場合であっても、階間胴差部をコスト的に有利にしかも施工容易に気密化することができる。
【０００９】
特に、胴差が上下のフランジとこれらフランジをつなぐウェブを有する鉄骨材からなり、
階上の外壁パネルの下フレームが胴差の上フランジの上面に配置されると共に、階下の外壁パネルの上フレームが胴差の下フランジの下面に配置され、胴差は上下の外壁パネルのフレームより室内側に突出しており、
階上の外壁パネルの下フレームと胴差の上フランジとの間、及び、階下の外壁パネルの上フレームと胴差の下フランジの下面との間が、それぞれ個別に気密材でシールされている構造とするのがよい。
【００１０】
この場合は、この鉄骨胴差によって、階間胴差部をしっかりと気密状態にすることができるし、階上の外壁パネルの下フレームと胴差の上フランジとの間、及び、階下の外壁パネルの上フレームと胴差の下フランジの下面との間を気密材でしっかりとシールすることができる。また、胴差は上下の外壁パネルのフレームより室内側に突出しているにもかかわらず、階間胴差部をコスト的に有利にしかも施工容易に気密化することができる。
【００１１】
胴差のウェブに孔が設けられている場合は、胴差による階間部の気密化を完全なものにするため、この孔は、蓋又は栓で閉じるようにすればよい。
【００１２】
また、胴差を挟む上下両側にそれぞれ気密シートが備えられ、
階上の気密シートと胴差、及び、階下の気密シートと胴差がそれぞれ個別に気密材でシールされ、
また、胴差が上下のフランジとこれらフランジをつなぐウェブを有する鉄骨材からなり、
胴差を挟む上下両側にそれぞれ外壁パネルが備えられ、階上の外壁パネルの下フレームが胴差の上フランジの上面に配置されると共に、階下の外壁パネルの上フレームが胴差の下フランジの下面に配置され、胴差は上下の外壁パネルのフレームより室内側に突出しており、
階上の外壁パネルの下フレームと胴差の上フランジとの間、及び、階下の外壁パネルの上フレームと胴差の下フランジの下面との間が、それぞれ個別に気密材でシールされ、
胴差を挟む上下の外壁パネル間は、胴差が建物内外を気密にシールしていることを特徴とする建物の階間胴差部における気密構造によって解決される。この場合も、同様に、階間胴差部をコスト的に有利にしかも施工容易にしっかりと気密化することができる。
【００１３】
【発明の実施の形態】
次に、本発明を鉄骨造の建物に適用した場合の実施形態を図面に基づいて説明する。
【００１４】
図１及び図２に示す第１実施形態の階間胴差部気密構造において、１は胴差、２は階上の外壁パネル、４はその背面側に備えられた気密シート、３は階下の外壁パネル、５はその背面部に備えられた気密シートである。そして、６，７は気密材であり、外壁パネル２，３と胴差１との間を気密状態にシールするものである。また、８は蓋あるいは栓としてのゴムパッキンである。
【００１５】
胴差１は、上下のフランジ９，１０とそれらをつなぐウェブ１１とを備えたＨ形鋼からなり、ウェブ１１には、孔１２があけられている。この実施形態における孔１２は、他の構造材などをボルト接合するための予備のボルト通孔である。
【００１６】
階上、階下の外壁パネル２，３はそれぞれ、外壁面材１３の背面側に、下地材１４を介して、パネルフレーム１５が取り付けられているもので、パネルフレーム１５は、溝形材を溝を内向きにして方形に組んで構成されたものである。そして、パネルフレーム１５内には、グラスウールなどによる断熱材１６が装填され、その背後に気密シート４，５が備えられている。気密シート４，５は、例えば、ポリプロピレンシートなどからなる。
【００１７】
階上の外壁パネル２において、気密シート４は、その下端が下フレーム１５ａの後面に接合されて、この気密シート４と下フレーム１５ａとの間が気密状態にシールされていてもよいし、単に、下フレーム１５ａの後面に沿っているだけであってもよい。また、階下の外壁パネル３において、気密シート５は、その上端が上フレーム１５ｂの後面に気密状態に接合されてもよいし、単に、上フレーム１５ｂの後面に沿っているだけであってもよい。
【００１８】
施工は、まず、階上、階下の外壁パネル２，３の建方を行う。即ち、階下の外壁パネル３の上フレーム１５ｂを胴差１の下フランジ１０の下面に配置して、階下の外壁パネル３を建物躯体にボルトなどで固定すると共に、階上の外壁パネル２についても、その下フレーム１５ａを胴差１の上フランジ９の上面に配置して、階上の外壁パネル２を建物躯体にボルトなどで固定する。階上、階下の気密シート４，５は、予め外壁パネル２，３に備えられているから、外壁パネル２，３の建方を行うことで同時に階上、階下の気密シート４，５を施工することができる。外壁パネル２，３のこの取付け状態において、胴差１は、外壁パネル２，３のフレーム１５ａ，１５ｂよりも室内側に突出した状態となる。
【００１９】
しかる後、階上の外壁パネル２の下フレーム１５ａと胴差１の上フランジ９との間、及び、階下の外壁パネル３の上フレーム１５ｂと胴差１の下フランジ１０との間をそれぞれ個別に、室内側から、気密材６，７にてシールする。
【００２０】
本実施形態の気密材６，７はそれぞれ、例えばポリプロピレン製のシート材からなり、単純形状のＬ字状に成形されて、フレーム１５ａ，１５ｂに沿う面部６ａ，７ａと、フランジ９，１０に沿う面部６ｂ，７ｂとを備えており、フレーム１５ａ，１５ｂ、フランジ９，１０と対面する側の面に、粘着剤などのよる接着層が設けられている。
【００２１】
即ち、階上の外壁パネル２の下フレーム１５ａと胴差１の上フランジ９との間は、気密材６の一方の面部６ａを下フレーム１５ａの後面に接着すると共に、もう一方の面部６ｂを上フランジ９の上面に接着することで、シールすることができる。また、階下の外壁パネル３の上フレーム１５ｂと胴差１の下フランジ１０との間は、気密材７の一方の面部７ａを上フレーム１５ｂの後面に接着すると共に、もう一方の面部７ｂを下フランジ１０の下面に接着することで、シールすることができる。
【００２２】
図面に示すように、気密材６，７をそれぞれ、階上、階下の気密シート４，５に重なるように接着して取り付けることにより、気密シート４，５とフレーム１５ａ，１５ｂとの接合が完全であっても、あるいは、完全でなくとも、また、気密シート４，５が単にフレーム１５ａ，１５ｂの後面に沿わされているだけであっても、気密シート４，５と胴差１との間をしっかりとした気密状態にすることができる。
【００２３】
そして、本実施形態では、胴差１のウェブ１１に孔１２が設けられているので、この孔１２を蓋あるいは栓としてのゴムパッキン８で塞ぐ。
【００２４】
以上のようにして、階上、階下の外壁パネル２，３と胴差１の間は気密材６，７にて気密状態にシールされ、また、階上、階下の気密シート４，５と胴差１との間も気密材６，７にて気密状態にシールされ、更に、胴差１のウェブ１１の孔１２もゴムパッキン８で塞がれて、階間胴差部は、しっかりとした気密状態となる。
【００２５】
上記の気密構造では、上下の外壁パネル２，３を取り付けた後、外壁パネル２，３と胴差１との間をそれぞれ個別に気密材６，７にてシールし、胴差１のウェブ１１に孔１２があけられている場合はこれをゴムパッキン８で塞ぐだけでよいので、コスト的に有利にしかも施工容易に階間胴差部を気密化することができる。しかも、胴差１が、上下の外壁パネル２，３よりも室内側に突出している構造、即ち、階上、階下の気密シート４，５よりも室内側に突出する構造においてさえ、このように、コスト的に有利で施工容易に階間胴差部を気密化することができる。また、胴差部において従来のように気密シートを先張りすることが困難ないし不可能な場合であっても、階間胴差部を容易に気密化することができる。
【００２６】
また、例えば、胴差１に根太などの室内側に延びる梁の一端を連結するような場合であっても、胴差１の上下の面部において、胴差１と、上下の外壁パネル２，３あるいは上下の気密シート４，５とを気密材６，７で気密状態にシールすることができ、この階間胴差部を梁との取り合い関係に支障を生じさせることなく施工容易に気密化することができる。
【００２７】
図３及び図４に示す第２実施形態の階間胴差部気密構造では、気密材６，７として、発泡体などによるゴム状弾性体を用いている。即ち、図４に示すように、階上の外壁パネル２の下フレーム１５ａにゴム状弾性体６が下方に突出するよう取り付けられており、この外壁パネル２の下フレーム１５ａを胴差１の上面に配置し、外壁パネル２と建物躯体とを接合することにより、ゴム状弾性体６が胴差１の上面に弾力的に当接され、これにより、外壁パネル２の下フレーム１５ａと胴差１の間が気密状態にシールされるようになっている。同様に、階下の外壁パネル３についても、ゴム状弾性体７によって、この外壁パネル３の上フレーム１５ｂと胴差１の間が気密状態にシールされている。このように、ゴム状弾性体からなる気密材６，７を予め階上、階下の外壁パネル２，３のフレーム１５ａ，１５ｂに突出状態に取り付けておくことにより、外壁パネル２，３の建方を行うだけで、外壁パネル２，３と胴差１との間を気密状態にシールすることができ、階間胴差部の気密化の施工を能率良く行うことができる。
【００２８】
また、図示はしないが、階上、階下の各気密シート４，５を上記のゴム状弾性体６，７とシール状態に接合しておく場合は、気密シート４，５とフレーム１５ａ，１５ｂとが接合されている、あるいは接合されていない、あるいは、接合が不完全であるなどの場合であっても、各気密シート４，５と胴差１との間をしっかりとした気密状態にすることができる。
【００２９】
以上に、本発明の実施形態を示したが、本発明はこれに限られるものではなく、発明思想を逸脱しない範囲で、各種の変更が可能である。例えば、上記の実施形態では、胴差として、Ｈ形鋼を用いた場合を示しているが、その他、断面異形の中空形鋼などが用いられてもよく、要は、上下のフランジとこれらをつなぐ１つないしは複数のウェブを備えた鉄骨材であればよい。また、本発明における胴差は、必ずしも鉄骨材でなくともよく、木材などであってもよく、材質に特段の制限はない。また、上記の実施形態では、階上、階下の気密シート４，５を予め外壁パネル２，３に備えさせている場合を示しているが、外壁パネル２，３の建方を行った後に、階上、階下の気密シート４，５を取り付けるようにしてもよい。
【００３０】
【発明の効果】
上述の次第で、本発明は、以上のとおりのものであるから、階間胴差部をコスト的に有利にしかも施工容易に気密化することができる。
【図面の簡単な説明】
【図１】第１実施形態の階間胴差部の気密構造を示す断面図である。
【図２】同斜視図である。
【図３】第２実施形態の階間胴差部の気密構造を示す断面図である。
【図４】同分解斜視図である。
【符号の説明】
１…胴差
２，３…外壁パネル
４，５…気密シート
６，７…気密材
８…ゴムパッキン（蓋又は栓）
９，１０…フランジ
１１…ウェブ
１２…孔
１５…フレーム
【図１】
0004271333.tif 000002
【図２】
0004271333.tif 000003
【図３】
0004271333.tif 000004
【図４】
0004271333.tif 000005